(57)【要約】【課題】縦樋控え金具を伝って侵入者が侵入するのを防止できて防犯性を向上できる縦樋控え金具を提供する。【解決手段】建物の外壁１に取り付けるための壁取り付け部２と縦樋３を保持するための縦樋保持部４とを有する。そして壁取り付け部２と縦樋保持部４との間の部分に忍び返し５を設ける。【選択図】        図１
2005299327.tif 000002
【特許請求の範囲】
【請求項１】
建物の外壁に取り付けるための壁取り付け部と縦樋を保持するための縦樋保持部とを有し、壁取り付け部と縦樋保持部との間の部分に忍び返しを設けたことを特徴とする縦樋控え金具。  
【請求項２】
壁取り付け部と縦樋保持部との間の部分に忍び返しを一体に設けたことを特徴とする請求項１記載の縦樋控え金具。  
【請求項３】
壁取り付け部と縦樋保持部との間の部分に別部材の忍び返し部材を取り付けて忍び返しを形成したことを特徴とする請求項１記載の縦樋控え金具。
【請求項４】
壁取り付け部と縦樋保持部との間の部分に忍び返し部材をこれらの間に挿通したボルトの締め付けにて取り付けると共に忍び返し部材を引っ掛け孔への引っ掛け突起の引っ掛け係止にても取り付けたことを特徴とする請求項３記載の縦樋控え金具。
【請求項５】
壁取り付け部と縦樋保持部との間の部分に忍び返し部材をこれらの間に挿通したボルトの締め付けにて取り付けると共に忍び返し部材のボルトを挿通する部分にボルトのねじ部に噛み合ってボルトの緩み止めをする緩み止め部を設けたことを特徴とする請求項３または請求項４記載の縦樋控え金具。
【発明の詳細な説明】
【技術分野】
【０００１】
本発明は、建物の外壁に取り付けて縦樋を保持する縦樋控え金具の構造に関するものである。
【背景技術】
【０００２】
一般に、建物の外壁の上下に所定の間隔を隔てて縦樋控え金具を配置して縦樋控え金具を外壁に取り付け、縦樋控え金具に縦樋を保持している（例えば、特許文献１、特許文献２参照）。つまり、縦樋控え金具には壁取り付け部と縦樋保持部とを有しており、壁取り付け部を外壁に取り付けると共に縦樋保持部に縦樋を保持して外壁の外面に対して所定の間隔を隔てて縦樋を保持できるようになっている。
【特許文献１】実開平５−１６９５８号公報
【特許文献２】実開平５−８１８号公報
【発明の開示】
【発明が解決しようとする課題】
【０００３】
ところが、上記のように縦樋控え金具にて縦樋を保持した場合、外壁の外面と縦樋との間に約５０〜１００ｍｍ程度の隙間が保持されるため、縦樋控え金具の壁取り付け部と縦樋保持部との間に足を掛けたり手を掛けたりできるようになり、泥棒のような侵入者が縦樋控え金具を伝って階上に登り、ベランダや窓から侵入するおそれがあり、防犯面から好ましくない。また近年、首都圏では、例えば、東京都では「東京都安全・安心まちづくり条例」が平成１５年１０月１日から施行され、防犯対策をすることを条例に盛り込む動きも出てきている。
【０００４】
本発明は上記の従来の問題点に鑑みて発明したものであって、縦樋控え金具を伝って侵入者が侵入するのを防止できて防犯性を向上できる縦樋控え金具を提供することを課題とするものである。
【課題を解決するための手段】
【０００５】
上記課題を解決するために本発明の縦樋控え金具Ａは、建物の外壁１に取り付けるための壁取り付け部２と縦樋３を保持するための縦樋保持部４とを有し、壁取り付け部２と縦樋保持部４との間の部分に忍び返し５を設けたことを特徴とする。上方に突出する鋭利な突起物からなる忍び返し５を壁取り付け部２と縦樋保持部４との間に設けることにより、この部分に足や手を掛けて登ることが危険であると侵入者の感じさせることができ、侵入者に対する威嚇効果が増して防犯性を向上でき、建物の入居者に対して防犯対策の一環に繋がる。また上記のような忍び返し５は野鳥が止まり木のように止まることができなく、野鳥の糞に対する糞対策も期待できる。
【０００６】
また壁取り付け部２と縦樋保持部４との間の部分に忍び返し５を一体に設けたことを特徴とすることも好ましい。この場合、忍び返し５が外れないように設けることができて確実に防犯できる。  
【０００７】
また壁取り付け部２と縦樋保持部４との間の部分に別部材の忍び返し部材６を取り付けて忍び返し５を形成したことを特徴とすることも好ましい。この場合、忍び返し５を後付けで設けることができ、大幅に仕様を変更することなく簡単に忍び返し５を設けることができる。
【０００８】
また壁取り付け部２と縦樋保持部４との間の部分に忍び返し部材６をこれらの間に挿通したボルト７の締め付けにて取り付けると共に忍び返し部材６を引っ掛け孔８への引っ掛け突起９の引っ掛け係止にても取り付けたことを特徴とすることも好ましい。この場合、ボルト７の締め付けと引っ掛け孔８への引っ掛け突起９の引っ掛けとを併用して忍び返し部材６を取り付けることができるものであって、別部材の忍び返し部材６を取り付けても忍び返し部材６が外れないように確実に取り付けることができる。
【０００９】
また壁取り付け部２と縦樋保持部４との間の部分に忍び返し部材６をこれらの間に挿通したボルト７の締め付けにて取り付けると共に忍び返し部材６のボルト７を挿通する部分にボルト７のねじ部に噛み合ってボルト７の緩み止めをする緩み止め部２０を設けたことを特徴とすることも好ましい。この場合、別部材の忍び返し部材６をボルト７にて取り付けるものでも忍び返し部材６にてボルト７の緩み止めができ、忍び返し部材６が外れないように確実に取り付けることができる。
【発明の効果】
【００１０】
本発明は叙述の如く上方に突出する鋭利が突起物からなる忍び返しを壁取り付け部と縦樋保持部との間に設けることにより、この部分に足や手を掛けて登ることが危険であると侵入者の感じさせることができ、侵入者に対する威嚇効果が増して防犯性を向上でき、建物の入居者に対して防犯対策の一環に繋がるという効果があり、また上記のような忍び返しは野鳥が止まり木のように止まることができなく、野鳥の糞に対する糞対策も期待できるという効果がある。
【発明を実施するための最良の形態】
【００１１】
以下、本発明を添付図面に示す実施形態に基いて説明する。先ず、図１及び図２に示す縦樋控え金具Ａから述べる。本例の縦樋控え金具Ａは壁取り付け金具部材１０と縦樋保持金具部材１１とで主体が構成されている。壁取り付け金具部材１０は壁取り付け部２となる取り付け片１０ａと取り付け片１０ａに対して直交するように突設した連結片１０ｂとで略Ｔ字状に形成されており、取り付け片１０ａには取り付け孔１２を設けてあり、連結片１０ｂには２個の挿通孔１３を穿孔してある。縦樋保持金具部材１１は一対の半円状の保持片１１ａの一端同士をヒンジ１１ｂにて回転自在に連結し、保持片１１ａの他端から夫々接続片１１ｃを一体に連出して形成されており、一対の保持片１１ａにて縦樋保持部４を構成している。この縦樋保持金具部材１１の接続片１１ｃには夫々一対の挿通孔１４を穿孔してある。
【００１２】
本発明の縦樋控え金具Ａには忍び返し５が設けられるのである、本例の場合、一対の接続片１１ｃのうち一方の接続片１１ｃの上部に一体に忍び返し５を設けてある。この忍び返し５は上方に突出して上端が鋭角に尖った三角状の突起５ａを複数個列設して形成されている。
【００１３】
上記縦樋控え金具Ａの壁取り付け金具部材１０の取り付け片１０ａを建物の外壁１の外面に沿わせ、取り付け片１０ａの取り付け孔１２からビス等の固着具１５を打入して壁取り付け金具部材１０を外壁１に取り付ける。縦樋保持金具部材１１の一対の保持片１１ａを開き、一対の保持片１１ａ間に縦樋３を通し、一対の保持片１１ａを閉じ、一対の接続片１１ｃで壁取り付け金具部材１０の連結片１０ｂを挟む。そして接続片１１ｃの挿通孔１４と連結片１０ｂの挿通孔１３とを対応させ、一対の挿通孔１４と一対の挿通孔１３に一対のボルト７を挿通し、ボルト７の先端にナット１６を螺合してボルト７を締め付けることで締結してある。このようにして外壁１に上下に適当な間隔を隔てて縦樋控え金具Ａが取り付けられ、縦樋控え金具Ａにて縦樋３が保持される。
【００１４】
このように縦樋控え金具Ａにて縦樋３が取り付けられるが、壁取り付け部２と縦樋保持部４との間に忍び返し５が設けてあるために足や手を掛けて登ることは危険であることを侵入者に感じさせ、侵入者を威嚇して防犯性を向上できる。このとき、縦樋保持金具部材１１の接続片１１ｃに一体に忍び返し５を設けてあるため、忍び返し５が外れないように設けることができて確実に防犯できる。また上記のように忍び返し５のある縦樋控え金具Ａを上下に所定の間隔を隔てて取り付けるが、地上に近い部分（例えば、地上から約２ｍまでの部分）は忍び返しのない縦樋控え金具にて縦樋３を支持して入居者への安全を図ることが好ましい。
【００１５】
次に図３に示す例について述べる。本例も上記例と基本的に同じであり、異なる点だけを述べる。上記例では縦樋保持金具部材１１の接続片１１ｃに一体に忍び返し５を設けたが、本例の場合、接続片１１ｃに忍び返し５を設けずに、壁取り付け金具部材１０の連結片１０ｂに一体に忍び返し５を設けてある。この場合も、上記例と同様に縦樋控え金具Ａにて縦樋３を取り付けることができ、忍び返し５で防犯を図ることができる。
【００１６】
次に図４に示す例について述べる。本例も上記例と基本的に同じであり、異なる点だけを述べる。本例の場合、壁取り付け金具部材１０と縦樋保持金具部材１１とが一体になっている。上記例の連結片１０ｂと一方の接続片１１ｃとの役目を兼ねる結合片１７の一端が取り付け片１０ａに一体に繋がると共に結合片１７の他端が一方の保持片１１ａに繋がっており、結合片１７に挿通孔１４を穿孔してある。かかる縦樋控え金具Ａを用いて縦樋３を取り付ける場合は次のように行う。取り付け片１０ａを建物の外壁１の外面に沿わせ、取り付け片１０ａの取り付け孔１２からビス等の固着具１５を打入して取り付け片１０ａを外壁１に取り付ける。一方の保持片１１ａを開き、一対の保持片１１ａ間に縦樋３を通し、保持片１１ａを閉じ、接続片１１ｃと結合片１７とを重ね、接続片１１ｃの挿通孔１４と結合片１７の挿通孔１４を対応させ、一対の挿通孔１４に一対のボルト７を挿通し、ボルト７の先端にナット１６を螺合してボルト７を締め付けることで締結する。
【００１７】
次に図５に示す例について述べる。本例の場合も縦樋控え金具Ａは上記の例と同じ構造の壁取り付け金具部材１０と縦樋保持金具部材１１とで構成されているが、壁取り付け金具部材１０や縦樋保持金具部材１１に忍び返し５を一体に設けていなく、別部材の忍び返し部材６を取り付けることで忍び返し５を設けるようにしてある。この別部材の忍び返し部材６は平板状の板材にて形成されており、忍び返し部材６の上部に複数の突起５ａからなる忍び返し５を設けてあり、忍び返し部材６の下部に１つの挿通孔１８と一方のボルト７の頭を避けるための切り欠き１９を設けてある。
【００１８】
縦樋控え金具Ａにて縦樋３を保持する場合は次のように行われる。壁取り付け金具部材１０の取り付け片１０ａを建物の外壁１の外面に沿わせ、取り付け片１０ａの取り付け孔１２からビス等の固着具１５を打入して壁取り付け金具部材１０を外壁１に取り付ける。縦樋保持金具部材１１の一対の保持片１１ａを開き、一対の保持片１１ａ間に縦樋３を通し、一対の保持片１１ａを閉じ、一対の接続片１１ｃで壁取り付け金具部材１０の連結片１０ｂを挟む。そして接続片１１ｃの挿通孔１４と連結片１０ｂの挿通孔１３とを対応させ、一対の挿通孔１４と一対の挿通孔１３に一対のボルト７を挿通し、ボルト７の先端にナット１６を螺合してボルト７を締め付けることで締結する。このように縦樋控え金具Ａにて縦樋３を取り付け状態で忍び返し５を設ける場合は、一対のボルト７のうち取り付け片１０ａ側のボルト７を外し、一方の接続片１１ｃに忍び返し部材６を沿わせ、忍び返し部材６の挿通孔１８と接続片１１ｃの挿通孔１４及び連結片１０ｂの挿通孔１３を対応させ、挿通孔１８，１４，１３にボルト７を挿通し、ボルト７の先端にナット１６を螺合してボルト７を締め付けることで締結する。
【００１９】
このように別部材の忍び返し部材６を取り付けて忍び返し５を設けた場合、後付けで忍び返し５を設けることができ、忍び返し部材６だけを用意しておけば、壁取り付け金具部材１０や縦樋保持金具部材１１の仕様を変更することなく忍び返し５を設けることができる。また取り付け片１０ａ側のボルト７だけを取り外して忍び返し部材６を取り付けることができるため、忍び返し部材６を取り付けるときは壁取り付け金具部材１０と縦樋保持金具部材１１とが連結されており、脱落等のトラブルを防止でき、また片方のボルト７を取り外すだけで忍び返し部材６を後付けで取り付けることができるために短時間での忍び返し部材６の取り付けができる。
【００２０】
次に図６及び図７に示す例について述べる。この例も図５に示す例と基本的に同じであり、異なる点だけを述べる。本例の場合、壁取り付け金具部材１０の連結片１０ｂの上部に略逆Ｌ字状の引っ掛け突起９を一対突設してあり、忍び返し部材６の上部には一対の引っ掛け孔８を引っ掛け突起９に対応するように穿孔してある。この引っ掛け孔８は巾広部８ａと巾狭部８ｂとで構成されている。図５に示す例と同じように縦樋控え金具Ａにて縦樋３を取り付けた後に忍び返し部材６を取り付ける場合、一対のボルト７のうち取り付け片１０ａ側のボルト７を外し、一方の接続片１１ｃに忍び返し部材６を沿わせ、引っ掛け突起９と引っ掛け孔８の巾広部８ａとを対応させて引っ掛け突起９を巾広部８ａに挿通し、忍び返し部材６をスライドさせて引っ掛け突起９と引っ掛け孔８の巾狭部８ｂとを対応させて引っ掛け突起９を引っ掛け孔８に引っ掛け係止する。この状態で忍び返し部材６の挿通孔１８と接続片１１ｃの挿通孔１４及び連結片１０ｂの挿通孔１３が対応し、挿通孔１８，１４，１３にボルト７を挿通し、ボルト７の先端にナット１６を螺合してボルト７を締め付けることで締結する。
【００２１】
このように忍び返し部材６を取り付けると、引っ掛け突起９と引っ掛け孔８との係止及びボルト７の締結にて忍び返し部材６が外れにくいように取り付けることができて防犯効果が大きい。また引っ掛け突起９を引っ掛け孔８に引っ掛けた状態で忍び返し部材６の挿通孔１８が挿通孔１４，１５に合せられるので、ボルト７を挿通して忍び返し部材６を取り付ける取り付けが容易にできる。
【００２２】
次に図８及び図９示す例について述べる。本例も上記例と基本的に同じであり、異なる点だけを述べる。本例の場合、忍び返し部材６の下部に上記例のように切り欠き１９を設けないで、忍び返し部材６の下部に一対の挿通孔１８を設けてある。この忍び返し部材６の挿通孔１８にはボルト７のねじ部に噛み合って緩み止めする緩み止め部２０を設けてある。この緩み止め部２０はボルト７のねじ部の外径より小さい挿通孔１８の周囲に放射状に切り込み２０ａを設けることで形成したり、図９に示すようにボルト７のねじ部より外径の大きい挿通孔１８の周縁から複数の突片２０ｂを内方に突設することで形成したりしてある。
【００２３】
この縦樋控え金具Ａにて縦樋３を取り付ける場合は次のように行う。壁取り付け金具部材１０の取り付け片１０ａを建物の外壁１の外面に沿わせ、取り付け片１０ａの取り付け孔１２からビス等の固着具１５を打入して壁取り付け金具部材１０を外壁１に取り付ける。縦樋保持金具部材１１の一対の保持片１１ａを開き、一対の保持片１１ａ間に縦樋３を通し、一対の保持片１１ａを閉じ、一対の接続片１１ｃで壁取り付け金具部材１０の連結片１０ｂを挟む。このとき、一方の接続片１１ｃと連結片１０ｂとの間に忍び返し部材６を介在する。そして接続片１１ｃの挿通孔１４と連結片１０ｂの挿通孔１３と、忍び返し部材６の挿通孔１８を対応させ、一対の挿通孔１４と一対の挿通孔１３と一対の挿通孔１８とに一対のボルト７を挿通し、ボルト７の先端にナット１６を螺合してボルト７を締め付けることで締結する。このように縦樋控え金具Ａにて縦樋３を取り付けると、忍び返し５にて防犯性を確保できるのは勿論、忍び返し部材６の挿通孔１８に挿通されたボルト７のねじ部に緩み止め部２０が噛み合い、ボルト７の緩み止めがされてボルト７が外れるのが防止される。
【００２４】
次に図１０乃至図１２に示す例について述べる。本例の縦樋控え金具Ａは縦樋保持部４となる矩形枠状の縦樋保持枠２１と打ち込み棒体２２とを一体に設けて形成されている。縦樋保持枠２１は略コ字状の保持枠本体２１ａと蓋片２１ｂとで構成されており、蓋片２１ｂの一端は保持枠本体２１ａの一端にヒンジ２３にて回転自在に連結してあり、蓋片２１ｂの他端の係合孔２４は保持枠本体２１ａの他端の係合突起２５に係脱自在に係合するようになっている。縦樋保持枠２１の保持枠本体２１ａの中央には打ち込み棒体２２の一端を一体に結合してあり、打ち込み棒体２２の他端は尖った打入部２６となっており、この打入部２６が壁取り付け部２となっている。忍び返し部材６は下部に一対の挿通孔１８を穿孔してあり、挿通孔１８の上方の位置には巾方向に亙って凹条部２７を凹設してあり、忍び返し部材６の両側の上下には係止突起２８を突設してある。
【００２５】
この縦樋控え金具Ａを用いて縦樋３を取り付ける場合は次のように行われる。打ち込み棒体２２の打入部２６は建物の外壁１に打入することで取り付けられ、縦樋保持枠２１の蓋片２１ｂが開かれて保持枠本体２１ａ内に角形の縦樋３が挿入され、蓋片２１ｂが閉じられて係合孔２４を係合突起２５に係合することで縦樋保持枠２１に縦樋３が保持される。このように縦樋控え金具Ａを取り付けて縦樋３を支持した状態で一対の忍び返し部材６が打ち込み棒体２２の両側に配置され、一対の忍び返し部材６の凹条部２７が打ち込み棒体２２に嵌合され、一対の忍び返し部材６の挿通孔１８にボルト７が挿通され、ボルト７の先端にナット１６を螺合し、ボルト７を締め付けることで一対の忍び返し部材６間に打ち込み棒体２２を挟持して一対の忍び返し部材６が打ち込み棒体２２に取り付けられる。このとき係止突起２８が保持枠本体２１ａの上下に係止されて忍び返し部材６が回転したりしないように取り付けられる。また上記のように一対の忍び返し部材６が取り付けられるが、忍び返し部材６が左右対称に形成されているため、一対の忍び返し部材６は同じ部材でよくて部品の共通化を図ることができる。
【００２６】
なお、足や手を掛けて登ることが危険であることを侵入者に感じさせ、侵入者を威嚇するための忍び返し５の突起５ａの山の個数は特に限定されるものでなく、設置する箇所に応じて適宜の個数のものを用いればよい。
【図面の簡単な説明】
【００２７】
【図１】本発明の実施の形態の一例で縦樋控え金具で縦樋を取り付けた状態の斜視図である。
【図２】同上の縦樋控え金具を示し、（ａ）は組み立て前の斜視図、（ｂ）は組み立て後の斜視図である。
【図３】同上の他の例の縦樋控え金具を示し、（ａ）は組み立て前の斜視図、（ｂ）は組み立て後の斜視図である。
【図４】同上の他の例の縦樋控え金具を示し、（ａ）は保持片を開いた状態の斜視図、（ｂ）は保持片を閉じた状態の斜視図である。
【図５】同上の他の例の縦樋控え金具を示し、（ａ）は組み立て前の斜視図、（ｂ）は組み立て後の斜視図である。
【図６】同上の他の例の縦樋控え金具を示し、（ａ）は組み立て前の斜視図、（ｂ）は組み立て後の斜視図である。
【図７】同上の忍び返し部材を示し、（ａ）は斜視図、（ｂ）は正面図である。
【図８】同上の他の例の縦樋控え金具を示し、（ａ）は組み立て前の斜視図、（ｂ）は組み立て後の斜視図である。
【図９】同上の忍び返し部材の他の例の正面図である。
【図１０】同上の他の例の縦樋控え金具で縦樋を取り付け状態の斜視図である。
【図１１】同上の忍び返し部材を取り付け状態の一部切欠正面図である。
【図１２】同上の縦樋控え金具を示し、（ａ）は組み立て前の斜視図、（ｂ）は組み立て後の斜視図である。
【符号の説明】
【００２８】
Ａ  縦樋控え金具  
１  外壁  
２  壁取り付け部
３  縦樋
４  縦樋保持部
５  忍び返し
６  忍び返し部材
７  ボルト
８  引っ掛け孔  
９  引っ掛け突起
２０  緩み止め部
【図１】
2005299327.tif 000003
【図２】
2005299327.tif 000004
【図３】
2005299327.tif 000005
【図４】
2005299327.tif 000006
【図５】
2005299327.tif 000007
【図６】
2005299327.tif 000008
【図７】
2005299327.tif 000009
【図８】
2005299327.tif 000010
【図９】
2005299327.tif 000011
【図１０】
2005299327.tif 000012
【図１１】
2005299327.tif 000013
【図１２】
2005299327.tif 000014